(57)【要約】【課題】音声出力装置において、外部機器から供給される音声を外部音声出力機器に出力する際に、高音質な音声を出力する。【解決手段】ＴＶ受像機に、外部機器が接続されると（Ｓ１）、この機器のデバイスタイプを確認し（Ｓ２）、「Ａｕｄｉｏ  Ｓｙｓｔｅｍ」である場合（Ｓ３でＹＥＳ）、この機器の音声出力情報を取得する（Ｓ５）。そして、ＴＶ受像機は、外部機器（以下、ＡＶアンプとする）によって出力可能な音声が、ＴＶ受像機によって出力可能な音声よりも高音質である場合（Ｓ７でＹＥＳ）、ＥＤＩＤの内容を更新する（Ｓ８）。具体的には、ＴＶ受像機の出力可能な音声が、ＰＣＭのフォーマットで、かつ、２ｃｈであり、ＡＶアンプの出力可能な音声が、ＤＴＳ、ＡＣ３、及びＰＣＭのフォーマットで、かつ、５．１ｃｈの場合、ＴＶ受像機のＥＤＩＤを、ＤＴＳ、ＡＣ３、及びＰＣＭのフォーマットで、かつ、５．１ｃｈの音声を出力可能と書き換える。【選択図】図６
2012165131.tif 000002
【特許請求の範囲】
【請求項１】
出力可能な音声の種類を示す第１音声種類情報を有し、この第１音声種類情報を送信する外部音声出力機器と、この外部音声出力機器に音声信号を供給可能な外部機器とに接続することができ、
音声を出力する音声出力手段と、
前記音声出力手段によって出力可能な音声の種類を示す第２音声種類情報を記憶する音声種類情報記憶手段と、
前記音声種類情報記憶手段に記憶された前記第２音声種類情報を、前記外部機器に対して送信するための送信手段とを備える音声出力装置において、
前記外部音声出力機器から前記第１音声種類情報を受信する音声種類情報受信手段と、
前記音声種類情報受信手段を用いて受信された前記第１音声種類情報の内容と、前記音声種類情報記憶手段に記憶されている前記第２音声種類情報の内容とを比較して、前記外部音声出力機器によって出力可能な音声が、前記音声出力手段によって出力可能な音声よりも高音質であるか否かを判断する音声出力性能判断手段と、
前記音声出力性能判断手段による判断の結果、前記外部音声出力機器によって出力可能な音声の方が、前記音声出力手段によって出力可能な音声よりも高音質であると判断された場合に、前記音声種類情報記憶手段に記憶された前記第２音声種類情報の内容を、前記音声種類情報受信手段によって受信された前記第１音声種類情報の内容に応じた内容に更新する音声種類情報更新手段とをさらに備えることを特徴とする音声出力装置。
【請求項２】
前記第１音声種類情報及び前記第２音声種類情報は、前記出力可能な音声の種類に加えて、出力可能なチャンネル数を示す情報をさらに含むことを特徴とする請求項１に記載の音声出力装置。
【請求項３】
前記音声出力装置、前記外部音声出力機器、及び前記外部機器のそれぞれは、家電制御プロトコルに基づき、前記第１音声種類情報及び第２音声種類情報の送受信を行うことを特徴とする請求項１又は２に記載の音声出力装置。
【請求項４】
前記家電制御プロトコルは、ＨＤＭＩ（Ｈｉｇｈ  Ｄｅｆｉｎｉｔｉｏｎ  Ｍｕｌｔｉｍｅｄｉａ  Ｉｎｔｅｒｆａｃｅ）−ＣＥＣ（Ｃｏｎｓｕｍｅｒ  Ｅｌｅｃｔｒｏｎｉｃｓ  Ｃｏｎｔｒｏｌ）であることを特徴とする請求項３に記載の音声出力装置。
【請求項５】
前記第１音声種類情報及び前記第２音声種類情報は、前記ＨＤＭＩ−ＣＥＣにおけるＥＤＩＤ（Ｅｘｔｅｎｄｅｄ  Ｄｉｓｐｌａｙ  Ｉｄｅｎｔｉｆｉｃａｔｉｏｎ  Ｄａｔａ）であることを特徴とする請求項４に記載の音声出力装置。
【発明の詳細な説明】
【技術分野】
【０００１】
本発明は、外部音声出力機器と接続可能な音声出力装置に関する。
【背景技術】
【０００２】
従来から、図１０に示すように、テレビジョン（以下、ＴＶという）受像機１０１と、ＤＶＤプレーヤ等の外部機器（以下、プレーヤ機器という）１０２とをＨＤＭＩ（Ｈｉｇｈ−Ｄｅｆｉｎｉｔｉｏｎ  Ｍｕｌｔｉｍｅｄｉａ  Ｉｎｔｅｒｆａｃｅ）ケーブル１０３を介して接続し、プレーヤ機器１０２から供給されたコンテンツの映像及び音声の出力をＴＶ受像機１０１が行うＡＶ（オーディオ・ビデオ）システム１００が知られている。
【０００３】
このＡＶシステム１００では、ＴＶ受像機１０１が自装置の音声出力性能を示す音声出力情報や映像表示性能を示す映像出力情報を含む機器情報をプレーヤ機器１０２に送信した後に、プレーヤ機器１０２が、取得した機器情報に応じた映像信号及び音声信号をＴＶ受像機１０１に供給する。すなわち、プレーヤ機器１０２は、自機が再生可能な種類の音声信号のうち、ＴＶ受像機１０１が出力可能な最高品質の音声信号を供給し、自機が再生可能な種類の映像信号のうち、ＴＶ受像機１０１が表示可能な最高品質の映像信号をＴＶ受像機１０１に供給する。
【０００４】
ところで、近年、図１１に示すように、ＴＶ受像機１１１と、このＴＶ受像機１１１にＨＤＭＩケーブル１１４を介して接続されたプレーヤ機器１１２と、このＴＶ受像機１１１にＨＤＭＩケーブル１１５を介して接続されたＡＶ  ＡＭＰ（以下、ＡＶアンプという）１１３とを含むＡＶシステム２００が知られている。このＡＶシステム２００では、プレーヤ機器１１２から供給されるコンテンツの映像をＴＶ受像機１１１が表示すると共に、プレーヤ機器１１２から供給される音声をＡＶアンプ１１３のスピーカ１１３ａから出力することができる。
【０００５】
しかしながら、上記ＡＶシステム２００では、プレーヤ機器１１２がＴＶ受像機１１１の音声出力情報のみに基づいて音声信号を供給する。すなわち、ＴＶ受像機１１１の出力可能な音声信号のフォーマットがＰＣＭのみであり、ＡＶアンプ１１３の出力可能な音声信号のフォーマットが、ＤＴＳ、ＡＣ３、及びＰＣＭである場合であっても、プレーヤ機器１１２はＴＶ受像機１１１の出力可能な音声信号のフォーマットしか判断しない。従って、ＡＶアンプ１１３を用いてさらに高音質な音声（ＤＴＳ）を出力できるにも係わらず、プレーヤ機器１１２はＰＣＭの音声信号を供給するため、高音質な音声信号が供給されないという問題がある。
【０００６】
これに対して、特許文献１には、自装置の音声出力情報が予め格納された２つのＥＤＩＤ−ＲＯＭを有し、ＡＶアンプが接続されると、ＡＶアンプが接続されているＨＤＭＩポートとは異なるＨＤＭＩポートのＥＤＩＤ−ＲＯＭに格納されている音声出力情報（「２ｃｈ」）を、ＡＶアンプの音声出力情報（「５．１ｃｈ」）に書き換える音声出力装置が開示されている。しかしながら、この音声出力装置では、音声出力性能情報のチャンネル数の情報を書き換えるだけであるため、上記問題を解決できない。また、この音声出力装置では、２つのＥＤＩＤ−ＲＯＭを設ける必要があるため、製造コストを抑制できない。
【０００７】
また、特許文献２には、ソース機器が接続されたときに、シンク機器の機器情報を他のシンク機器の機器情報に書き換えてソース機器に送信可能な情報処理装置が開示されている。しかしながら、この情報処理装置であっても上記問題を解決できない。
【０００８】
また、特許文献３には、ソース機器が、複数のシンク機器のＥＤＩＤ−ＲＯＭからそれぞれのＥＤＩＤを読み出し、ＥＤＩＤ内のデータフォーマット情報に基づいて、ＡＶストリームにおける伝送データフォーマットをシンク機器の全てが対応可能となるように決定し、決定した伝送データフォーマットによるＡＶストリームをシンク機器にブロードキャストする伝送データフォーマット決定方法が開示されている。しかしながら、この方法であっても、上記問題を解決できない。
【０００９】
また、特許文献４には、信号発生装置から供給されたデジタル映像信号のエラーレートを検出した後、検出エラーレートが所定の閾値よりも大きい場合に、低い解像度のフォーマット情報を保持する第二のＥＤＩＤ回路を選択するようスイッチを制御して、選択されたフォーマット情報を信号発生装置に送信する映像処理装置及びテレビジョン受像機が開示されている。しかしながら、この映像処理装置及びテレビジョン受像機であっても、上記問題を解決できない。
【先行技術文献】
【特許文献】
【００１０】
【特許文献１】特開２０１０−１４１４１０号公報
【特許文献２】特開２０１０−１４７８２９号公報
【特許文献３】特開２００９−２１３１２１号公報
【特許文献４】特開２００３−２５９２４１号公報
【発明の概要】
【発明が解決しようとする課題】
【００１１】
本発明は、上述した問題点を解決するためになされたものであり、外部音声出力機器と外部機器に接続され、外部機器から供給される音声を外部音声出力機器に出力する際に、高音質な音声を出力できると共に、製造コストを抑制可能な音声出力装置を提供することを目的とする。
【課題を解決するための手段】
【００１２】
上記目的を達成するために請求項１の発明は、出力可能な音声の種類を示す第１音声種類情報を有し、この第１音声種類情報を送信する外部音声出力機器と、この外部音声出力機器に音声信号を供給可能な外部機器とに接続することができ、音声を出力する音声出力手段と、前記音声出力手段によって出力可能な音声の種類を示す第２音声種類情報を記憶する音声種類情報記憶手段と、前記音声種類情報記憶手段に記憶された前記第２音声種類情報を、前記外部機器に対して送信するための送信手段とを備える音声出力装置において、前記外部音声出力機器から前記第１音声種類情報を受信する音声種類情報受信手段と、前記音声種類情報受信手段を用いて受信された前記第１音声種類情報の内容と、前記音声種類情報記憶手段に記憶されている前記第２音声種類情報の内容とを比較して、前記外部音声出力機器によって出力可能な音声が、前記音声出力手段によって出力可能な音声よりも高音質であるか否かを判断する音声出力性能判断手段と、前記音声出力性能判断手段による判断の結果、前記外部音声出力機器によって出力可能な音声の方が、前記音声出力手段によって出力可能な音声よりも高音質であると判断された場合に、前記音声種類情報記憶手段に記憶された前記第２音声種類情報の内容を、前記音声種類情報受信手段によって受信された前記第１音声種類情報の内容に応じた内容に更新する音声種類情報更新手段とをさらに備えるものである。
【００１３】
また、請求項２の発明は、請求項１に記載の音声出力装置において、前記第１音声種類情報及び前記第２音声種類情報は、前記出力可能な音声の種類に加えて、出力可能なチャンネル数を示す情報をさらに含むものである。
【００１４】
また、請求項３の発明は、請求項１又は２に記載の音声出力装置において、前記音声出力装置、前記外部音声出力機器、及び前記外部機器のそれぞれは、家電制御プロトコルに基づき、前記第１音声種類情報及び第２音声種類情報の送受信を行うものである。
【００１５】
また、請求項４の発明は、請求項３に記載の音声出力装置において、前記家電制御プロトコルは、ＨＤＭＩ（Ｈｉｇｈ  Ｄｅｆｉｎｉｔｉｏｎ  Ｍｕｌｔｉｍｅｄｉａ  Ｉｎｔｅｒｆａｃｅ）−ＣＥＣ（Ｃｏｎｓｕｍｅｒ  Ｅｌｅｃｔｒｏｎｉｃｓ  Ｃｏｎｔｒｏｌ）である。
【００１６】
また、請求項５の発明は、請求項４に記載の音声出力装置において、前記第１音声種類情報及び前記第２音声種類情報は、前記ＨＤＭＩ−ＣＥＣにおけるＥＤＩＤ（Ｅｘｔｅｎｄｅｄ  Ｄｉｓｐｌａｙ  Ｉｄｅｎｔｉｆｉｃａｔｉｏｎ  Ｄａｔａ）である。
【発明の効果】
【００１７】
本発明によれば、外部音声出力機器によって出力可能な音声の方が、自装置の出力可能な音声よりも高音質であると判断された場合に、第２音声種類情報の内容が、第１音声種類情報の内容に応じた内容に更新される。そのため、第１音声種類情報の内容に応じた内容に更新された第２音声種類情報（より高品質な音声の種類を示す情報）が外部機器に送信されるので、外部機器は、外部音声出力機器によって出力可能である高音質な音声信号を、音声出力装置を介して、外部音声出力機器に供給できる。また、本音声出力装置自体は、特許文献１の発明と異なり、１つの音声種類情報記憶手段（特許文献１のＥＤＩＤ−ＲＯＭに相当）を有していればよいので、製造コストを抑制できる。
【図面の簡単な説明】
【００１８】
【図１】本発明の一実施形態に係るＴＶ受像機と、ＡＶアンプと、ＢＤプレーヤとを含む家電ネットワークシステムを示す斜視図。
【図２】上記ＴＶ受像機の内部構成を示すブロック図。
【図３】上記ＴＶ受像機に格納される論理デバイスリストの内容を示す説明図。
【図４】上記ＡＶアンプの内部構成を示すブロック図。
【図５】上記ＢＤプレーヤの内部構成を示すブロック図。
【図６】上記ＴＶ受像機における音声出力情報更新処理の手順を示すフローチャート。
【図７】音声信号のフォーマットの返り値を示すリスト。
【図８】上記ＴＶ受像機における機器認証処理の手順を示すシーケンス図。
【図９】上記ＢＤプレーヤにおける音声信号の供給処理の手順を示すフローチャート。
【図１０】従来のＴＶ受像機と、プレーヤ機器とを含む家電ネットワークシステムの概略構成を示すブロック図。
【図１１】従来のＴＶ受像機と、プレーヤ機器と、ＡＶアンプとを含む家電ネットワークシステムの概略構成を示すブロック図。
【発明を実施するための形態】
【００１９】
以下、本発明の一実施形態に係るテレビジョン受像機（請求項における音声出力装置）について、図１乃至図５を参照して説明する。図１は、テレビジョン（以下、ＴＶという）受像機１と、ＡＶ  ＡＭＰ（以下、ＡＶアンプという；請求項における外部音声出力機器）２と、ＢＤ（Ｂｌｕ−ｒａｙ  Ｄｉｓｃ）プレーヤ（外部機器）３とを含む家電ネットワークシステム１００の概略構成を示す。図２は、ＴＶ受像機１の内部構成を示し、図３は、論理アドレスリスト１８ｃの一例を示す。図４は、ＡＶアンプ２の内部構成を示し、図５は、ＢＤプレーヤ３の内部構成を示す。
【００２０】
ＴＶ受像機１とＡＶアンプ２とは、ＨＤＭＩ（Ｈｉｇｈ  Ｄｅｆｉｎｉｔｉｏｎ  Ｍｕｌｔｉｍｅｄｉａ  Ｉｎｔｅｒｆａｃｅ）ケーブル７１を介して接続されている。ＴＶ受像機１とＢＤプレーヤ３は、ＨＤＭＩケーブル７２を介して接続されている。ＴＶ受像機１、ＡＶアンプ２、及びＢＤプレーヤ３は、いずれもＨＤＭＩに対応した機器であり、ＨＤＭＩ−ＣＥＣ（Ｃｏｎｓｕｍｅｒ  Ｅｌｅｃｔｒｏｎｉｃｓ  Ｃｏｎｔｒｏｌ）に基づくＣＥＣコマンドと、ＣＥＣコマンドに対するレスポンスデータとを送受信可能である。
【００２１】
ＨＤＭＩケーブル７１、７２は、映像信号及び音声信号等の伝送ラインであるＴＭＤＳ（Ｔｒａｎｓｉｔｉｏｎ  Ｍｉｎｉｍｉｚｅｄ  Ｄｉｆｆｅｒｅｎｔｉａｌ  Ｓｉｎｇｎａｌｉｎｇ）ラインと、ＣＥＣコマンドを双方向に伝送するための伝送ラインであるＣＥＣラインと、ＥＤＩＤ（Ｅｘｔｅｎｄｅｄ  Ｄｉｓｐｌａｙ  Ｉｄｅｎｔｉｆｉｃａｔｉｏｎ  Ｄａｔａ）のデータを伝送するためのＤＤＣ（Ｄｉｓｐｌａｙ  Ｄａｔａ  Ｃｈａｎｎｎｅｌ）ラインとを含むものである。ＨＤＭＩ−ＣＥＣでは、ＨＤＭＩケーブル７１、７２で接続された相手先（ＣＥＣ対応機器）を指定して送信するコマンドと、ＨＤＭＩケーブル７１、７２で接続されたすべてのＣＥＣ対応機器にコマンドを通知するブロードキャストタイプのコマンドとが定義されており、これらを組み合わせて通信を行う。
【００２２】
ＴＶ受像機１は、図２に示すように、アンテナ１１に接続され、デジタル放送信号を受信するチューナ部１２と、デコーダ部１３と、映像を表示するディスプレイ１４と、音声を出力するスピーカ１５と、ユーザによって操作される複数のボタンを有する操作部１６とを備える。また、ＴＶ受像機１は、ＨＤＭＩ規格に対応した外部機器を接続するためのＨＤＭＩ端子ユニット１７と、各種情報を記憶したメモリ（音声種類情報記憶手段）１８と、装置各部を制御するための制御用マイコン１０とをさらに備える。
【００２３】
チューナ部１２は、アンテナ１１を介して、放送局から配信される各チャンネルのデジタル放送信号を受信する。デジタル放送信号には、ＴＶ番組の映像信号及び音声信号と、配信されるＴＶ番組の番組タイトル等の番組情報とが含まれている。
【００２４】
デコーダ部１３は、チューナ部１２によって受信されたデジタル放送信号に対して復調処理や誤り訂正処理等を行い、多重化された信号から必要なＴＳ（トランスポートストリーム）パケットを分離するＴＳ変換回路（図示せず）、分離した各ＴＳパケットに対して復号化処理を行う映像デコード回路（図示せず）、音声デコード回路（図示せず）、及びデータデコード回路（図示せず）等から構成される。主にデコーダ部１３の音声デコード回路と上記のスピーカ１５とが請求項における音声出力手段に相当する。
【００２５】
映像デコード回路は、映像信号を含むＴＳパケットに対して復号化処理を行い、映像信号を抽出し、抽出した映像信号を制御用マイコン１０に出力する。音声デコード回路は、音声信号を含むＴＳパケットに対して復号化処理を行い、音声信号を抽出し、抽出した音声信号を制御用マイコン１０に出力する。データデコード回路は、ＳＩ（Ｓｅｒｖｉｃｅ  Ｉｎｆｏｒｍａｔｉｏｎ）データを含むＴＳパケットに対して復号化処理を行い、ＳＩデータを抽出し、抽出したＳＩデータを制御用マイコン１０に出力する。ＳＩデータは、ＴＶ番組の番組情報が格納されたＥＩＴ（Ｅｖｅｎｔ  Ｉｎｆｏｒｍａｔｉｏｎ  Ｔａｂｌｅ）等を有している。
【００２６】
ディスプレイ１４は、チューナ部１２によって受信されたＴＶ番組の映像や、ＢＤプレーヤ３から供給されたＴＶ番組の映像を表示する。スピーカ１５は、チューナ部１２によって受信されたＴＶ番組の音声や、ＢＤプレーヤ３から供給された音声を出力する。スピーカ１５から出力可能な音声信号は、フォーマットがＰＣＭであり、チャンネル数が２ｃｈであるものとする。
【００２７】
ＨＤＭＩ端子ユニット１７は、第１ＨＤＭＩ端子１７ａ、及び第２ＨＤＭＩ端子１７ｂを有している。第１ＨＤＭＩ端子１７ａには、ＡＶアンプ２と接続されたＨＤＭＩケーブル７１の一端が接続されている。第２ＨＤＭＩ端子１７ｂには、ＢＤプレーヤ３と接続されたＨＤＭＩケーブル７２の一端が接続されている。
【００２８】
メモリ１８は、制御用マイコン１０を動作させるためのプログラム１８ａと、ＥＤＩＤ（第２音声種類情報）１８ｂと、論理アドレスリスト１８ｃとを格納している。ＥＤＩＤ１８ｂには、接続されている外部機器に割り当てられた物理アドレスや、スピーカ１５によって出力可能な音声信号のフォーマットやチャンネル数等を含む各種の音声出力情報が含まれている。
【００２９】
論理アドレスリスト１８ｃは、図３に示すように、ＨＤＭＩ規格で定められた論理アドレスと、この論理アドレスに対応する機器種別（デバイスタイプ）との定義を示し、論理アドレス「１」〜「１５」のそれぞれについて、対応するデバイスタイプが割り当てられている。例えば、デバイスタイプ「Ａｕｄｉｏ  Ｓｙｓｔｅｍ」を示す論理アドレスは「５」である。
【００３０】
制御用マイコン１０は、映像出力部１０ａと、音声出力部１０ｂと、ＨＤＭＩ送受信制御部（送信手段、音声種類情報受信手段）１０ｃと、音声性能判断部（音声出力性能判断手段）１０ｄと、ＥＤＩＤ更新部（音声種類情報更新手段）１０ｅとを有し、ユーザによる操作部１６の操作に基づいてＴＶ受像機１の制御処理を行う。
【００３１】
映像出力部１０ａは、デコーダ部１３から受信したＴＶ番組の映像信号や、ＢＤプレーヤ３から供給された映像信号をディスプレイ１４に出力する。音声出力部１０ｂは、デコーダ部１３から受信したＴＶ番組の音声信号や、ＢＤプレーヤ３から供給された音声信号をスピーカ１５に出力する。
【００３２】
ＨＤＭＩ送受信制御部１０ｃは、ＨＤＭＩレシーバとして機能し、ＡＶアンプ２及びＢＤプレーヤ３に対して、ＨＤＭＩ−ＣＥＣに基づくＣＥＣコマンド及びレスポンスデータの送受信や、ＢＤプレーヤ３から送信された映像信号及び音声信号の受信処理や、ＡＶアンプ２への音声信号の転送処理を行う。具体的には、メモリ１８のＥＤＩＤ１８ｂをＡＶアンプ２とＢＤプレーヤ３に送信する処理や、ＢＤプレーヤ３から供給された音声信号を受信して、ＨＤＭＩ−ＣＥＣのＡＲＣ（Ａｕｄｉｏ  Ｒｅｔｕｒｎ  Ｃｈａｎｎｅｌ）機能により、ＨＤＭＩケーブル７１を介してＡＶアンプ２に送信する処理を行う。
【００３３】
音声性能判断部１０ｄは、ＡＶアンプ２によって出力可能な音声の方が、自機（ＴＶ受像機１）のデコーダ部１３及びスピーカ１５によって出力可能な音声よりも高音質であるか否かを判断する処理を行う。具体的には、ＡＶアンプ２のＥＤＩＤの音声出力情報の内容と、ＴＶ受像機１のＥＤＩＤ１８ｂの音声出力情報の内容とを比較することにより判断する。
【００３４】
ＥＤＩＤ更新部１０ｅは、音声性能判断部１０ｄによる判断の結果、ＡＶアンプ２によって出力可能な音声の方が、ＴＶ受像機１によって出力可能な音声よりも高音質であると判断された場合に、ＥＤＩＤ１８ｂの音声出力情報の内容を、ＡＶアンプ２によって出力可能な音声出力情報の内容に応じた内容に更新する処理（以下、音声出力情報更新処理という）を行う。
【００３５】
ＡＶアンプ２は、図４に示すように、ユーザによって操作される複数のボタンを有する操作部２１と、ＨＤＭＩ規格に対応した外部機器を接続するためのＨＤＭＩ端子部２２と、各種情報を記憶したメモリ２３と、スピーカ２５が接続されたアンプ部２４と、装置各部を制御するための制御用マイコン２０とを備える。なお、図４においては、説明の便宜上、アンプ部２４とスピーカ２５とを１つしか示していないが、アンプ部２４とスピーカ２５は、５．１チャンネルの音声を出力することができるものとする。
【００３６】
ＨＤＭＩ端子部２２には、ＴＶ受像機１と接続されたＨＤＭＩケーブル７１の他端が接続されている。メモリ２３は、制御用マイコン２０を動作させるためのプログラム２３ａと、ＡＶアンプ２の音声出力情報等の各種情報を含むＥＤＩＤ（第１音声種類情報）２３ｂとを格納している。アンプ部２４は、制御用マイコン２０から受信した音声信号を増幅してスピーカ２５に供給する。
【００３７】
制御用マイコン２０は、音声信号制御部２０ａと、ＨＤＭＩ受信制御部２０ｂとを有し、ユーザによる操作部２１の操作に基づいてＡＶアンプ２の制御処理を行う。音声信号制御部２０ａは、ＴＶ受像機１から受信した音声信号のフォーマットの種類に応じたデコード処理を行った後、５．１チャンネルの音声信号を形成し、アンプ部２４へ送信する。
【００３８】
ＨＤＭＩ受信制御部２０ｂは、ＨＤＭＩレシーバとして機能し、ＴＶ受像機１に対して、ＨＤＭＩ−ＣＥＣに基づくＣＥＣコマンド及びレスポンスデータの送受信や、ＴＶ受像機１から送信された音声信号を受信する処理を行う。
【００３９】
ＢＤプレーヤ３は、図５に示すように、ユーザによって操作される複数のボタンを有する操作部３１と、ＨＤＭＩ規格に対応した外部機器を接続するためのＨＤＭＩ端子部３２と、各種情報を記憶したメモリ３３と、ＢＤディスクやＤＶＤディスク等の光ディスクｄが装着される光ディスクドライブ３４と、装置各部を制御するための制御用マイコン３０とを備える。
【００４０】
ＢＤプレーヤ３は、光ディスクｄからコンテンツの映像信号及び音声信号を読み出して、ＨＤＭＩケーブル７２を介して、ＴＶ受像機１に供給する。ＢＤプレーヤ３は、ＤＴＳや、ＡＣ３や、ＰＣＭ等の複数のフォーマットの音声信号を再生可能であり、これらのフォーマットの音声信号をＴＶ受像機１に供給可能である。また、ＢＤプレーヤ３は、５．１ｃｈ等のマルチチャンネルの音声信号を再生可能であり、再生したマルチチャンネルの音声信号をＴＶ受像機１に供給可能である。ＢＤプレーヤ３は、ＴＶ受像機１から受信した音声出力情報の内容に応じたフォーマット及びチャンネル数の音声信号を供給する。
【００４１】
ＨＤＭＩ端子部３２には、ＴＶ受像機１と接続されたＨＤＭＩケーブル７２の他端が接続されている。メモリ３３は、制御用マイコン３０を動作させるためのプログラム３３ａと、ＢＤプレーヤ３の論理アドレス等の各種情報が格納されたＥＤＩＤ３３ｂとを格納している。光ディスクドライブ３４は、内部に光ディスクｄが装着され、光ディスクｄからのコンテンツの読み出しを行う。
【００４２】
制御用マイコン３０は、再生制御部３０ａと、ＨＤＭＩ送信制御部３０ｂとを有し、ユーザによる操作部３１の操作に基づいてＢＤプレーヤ３の制御処理を行う。
【００４３】
再生制御部３０ａは、光ディスクドライブ３４によって光ディスクｄから読み出されたコンテンツの再生を行い、再生されたコンテンツの映像信号及び音声信号を、ＨＤＭＩケーブル７２を介してＴＶ受像機１に出力する処理を行う。ＨＤＭＩ送信制御部３０ｂは、ＨＤＭＩトランスミッタとして機能し、ＴＶ受像機１に対して、ＨＤＭＩ−ＣＥＣに基づくＣＥＣコマンド及びレスポンスデータの送受信や、ＴＶ受像機１への映像信号及び音声信号の送信を行う。
【００４４】
次に、ＴＶ受像機１における音声出力情報更新処理の手順について、図６に示すフローチャートを参照して説明する。ここでは、ＴＶ受像機１のＨＤＭＩ端子ユニット１７に外部機器が接続されていない状態であるものとする。
【００４５】
まず、ＨＤＭＩ端子ユニット１７に、ＨＤＭＩ対応の外部機器が接続されると（Ｓ１）、ＴＶ受像機１の制御用マイコン１０は、接続された外部機器のデバイスタイプを確認するための機器認証処理を行う（Ｓ２）。
【００４６】
そして、この外部機器のデバイスタイプが「Ａｕｄｉｏ  Ｓｙｓｔｅｍ」を示す論理アドレス「５」である場合（Ｓ３でＹＥＳ）、制御用マイコン１０は、ＨＤＭＩ送受信制御部１０ｃを用いて、音声出力情報を要求するＣＥＣコマンドを外部機器に送信し（Ｓ４）、出力可能な音声信号のフォーマットとチャンネル数の情報とを含む音声出力情報を外部機器から取得する（Ｓ５）。具体的には例えば、ＡＶアンプ２がＨＤＭＩ端子ユニット１７に接続された場合（Ｓ１に相当）、論理アドレスとして「５」を取得するので（Ｓ３でＹＥＳに相当）、ＴＶ受像機１がＡＶアンプ２に＜Ｒｅｑｕｅｓｔ  Ｓｈｏｒｔ  Ａｕｄｉｏ  Ｄｅｓｃｒｉｐｔｏｒ＞を送信し（Ｓ４に相当）、ＡＶアンプ２が出力可能な音声信号のフォーマットを示す返り値を取得する（Ｓ５に相当）。
【００４７】
図７は、音声信号のフォーマットと返り値との対応を示すリストである。返り値「０」〜「１５」のそれぞれについて、音声信号のフォーマットが割り当てられている。すなわち、ＡＶアンプ２から返り値として「１」、「２」、及び「７」を取得した場合、ＡＶアンプ２は、ＰＣＭ、ＡＣ３、及びＤＴＳのフォーマットの音声信号に対応している旨を示す。
【００４８】
そして、制御用マイコン１０は、音声性能判断部１０ｄを用いて、外部機器（以下、ＡＶアンプ２とする）によって出力可能な音声の方が、スピーカ１５によって出力可能な音声よりも高音質であるか否かを判断する（Ｓ６）。ＡＶアンプ２の方が高音質であると判断されると（Ｓ７でＹＥＳ）、制御用マイコン１０は、ＥＤＩＤ更新部１０ｅを用いて、メモリ１８のＥＤＩＤ１８ｂの内容を更新する（Ｓ８）。具体的には例えば、ＴＶ受像機１の出力可能な音声は、フォーマットがＰＣＭで、かつ、チャンネル数が２ｃｈであり、一方、ＡＶアンプ２の出力可能な音声は、フォーマットがＤＴＳ、ＡＣ３、及びＰＣＭで、かつ、チャンネル数が５．１ｃｈである場合、ＡＶアンプ２の方が高音質な音声を出力できる（上記Ｓ７でＹＥＳに相当）。従って、ＴＶ受像機１のＥＤＩＤ１８ｂの音声出力情報の内容を、フォーマットがＤＴＳ、ＡＣ３、及びＰＣＭで、かつ、チャンネル数が５．１ｃｈの音声を出力可能と書き換える（上記Ｓ８に相当）。
【００４９】
次に、上記ＴＶ受像機１における機器認証処理の詳細手順について、図８に示すシーケンス図を参照して説明する。ここでは、ＴＶ受像機１のＨＤＭＩ端子ユニット１７にＨＤＭＩに対応した外部機器が接続されたものとする。
【００５０】
まず、ＴＶ受像機１は、論理アドレス「１」宛に、＜Ｐｏｌｌｉｎｇ  Ｍｅｓｓａｇｅ＞を送信し（Ｓ２１）、ＡＣＫが返答されると（Ｓ２２）、ＡＣＫを返答した外部機器宛に＜Ｇｉｖｅ  Ｐｈｙｓｉｃａｌ  Ａｄｄｒｅｓｓ＞を送信して物理アドレスを要求する（Ｓ２３）。そして、ＴＶ受像機１は、この外部機器の物理アドレスを取得する（＜Ｒｅｐｏｒｔ  Ｐｈｙｓｉｃａｌ  Ａｄｄｒｅｓｓ＞）（Ｓ２４）。なお、ＡＣＫの返答が無い場合、Ｓ２３以降の処理は行わない。
【００５１】
そして、ＴＶ受像機１は、この外部機器宛に＜Ｇｉｖｅ  Ｖｅｎｄｅｒ  ＩＤ＞を送信して（Ｓ２５）、この外部機器のＶｅｎｄｅｒ  ＩＤを取得する（＜Ｄｅｖｉｃｅ  Ｖｅｎｄｅｒ  ＩＤ＞）（Ｓ２６）。次に、ＴＶ受像機１は、外部機器宛に＜Ｇｅｔ  ＣＥＣ  Ｖｅｒｓｉｏｎ＞を送信して（Ｓ２７）、この外部機器のＣＥＣのバージョンを取得する（＜ＣＥＣ  Ｖｅｒｓｉｏｎ＞）（Ｓ２８）。
【００５２】
そして、ＴＶ受像機１は、この外部機器宛に＜Ｇｉｖｅ  ＯＳＤ  Ｎａｍｅ＞を送信して（Ｓ２９）、外部機器のＯＳＤ  Ｎａｍｅを取得する＜Ｓｅｔ  ＯＳＤ  Ｎａｍｅ＞（Ｓ３０）。ＯＳＤ  Ｎａｍｅは、この外部機器のモデル名等を示すものである。そして、ＴＶ受像機１は、次に論理アドレス「２」〜「１４」のそれぞれについて逐次、本処理を行う。
【００５３】
次に、ＢＤプレーヤ３における音声信号の供給処理について、図９に示すフローチャートを参照して説明する。ここでは、既に、上記図６の処理により、ＴＶ受像機１のＥＤＩＤ１８ｂの音声出力情報の内容が、ＡＶアンプ２の音声出力情報の内容に応じた内容に書き換えられているものとする。
【００５４】
まず、ＴＶ受像機１のＨＤＭＩケーブル７２を介してＢＤプレーヤ３を接続すると（Ｓ４１）、ＴＶ受像機１とＢＤプレーヤとが機器間認証処理を行った後（Ｓ４２）、ＢＤプレーヤ３が、ＴＶ受像機１のＥＤＩＤ１８ｂから音声出力情報を取得する（Ｓ４３）。具体的には例えば、ＢＤプレーヤ３が、ＴＶ受像機１に対して＜Ｇｉｖｅ  Ｓｙｓｔｅｍ  Ａｕｄｉｏ  Ｍｏｄｅ  Ｓｔａｔｕｓ＞を送信し、ＴＶ受像機１から＜Ｓｙｓｔｅｍ  Ａｕｄｉｏ  Ｍｏｄｅ  Ｓｔａｔｕｓ＞を取得する。
【００５５】
そして、ＢＤプレーヤ３が、光ディスクｄを再生した後（Ｓ４４）、ＴＶ受像機１から取得した音声出力情報の内容に応じた音声信号と映像信号とをＴＶ受像機１に供給する（Ｓ４５）。具体的には、ＴＶ受像機１から取得した音声出力情報が、「フォーマットがＤＴＳ、ＡＣ３、及びＰＣＭで、かつ、チャンネル数が５．１ｃｈの音声を出力可能」である場合、ＢＤプレーヤ３は、この音声出力情報に応じて、出力可能な音声信号のフォーマットの中から最も高音質であるＤＴＳのフォーマットの５．１チャンネルの音声信号をＴＶ受像機１に供給する。
【００５６】
上述したように、本実施形態に係るＴＶ受像機１においては、ＡＶアンプ２によって出力可能な音声の方が、ＴＶ受像機１のスピーカ１５によって出力可能な音声よりも高音質であると判断された場合に、ＥＤＩＤ１８ｂの音声出力情報の内容を、ＡＶアンプ２の音声出力情報の内容に応じた内容に更新する。そのため、ＡＶアンプ２の音声出力情報の内容に応じた内容のＥＤＩＤ１８ｂの音声出力情報がＢＤプレーヤ３に送信されるので、ＢＤプレーヤ３は、ＡＶアンプ２によって出力可能である高音質な音声信号をＴＶ受像機１を介して供給できる。また、ＴＶ受像機１は、１つのＥＤＩＤ１８ｂの記憶用のメモリ１８を有していれば良いため、２つのメモリ（ＥＤＩＤ−ＲＯＭ）が必要な特許文献１の発明と異なり、製造コストを抑制できる。
【００５７】
また、ＴＶ受像機１は、ＥＤＩＤ１８ｂの音声出力情報の音声信号のフォーマットとチャンネル数の情報について書き換え可能であるため、フォーマット又はチャンネル数のいずれか一方しか書き換えできない場合と比較して、ＢＤプレーヤ３がより高音質な音声を供給することができる。
【００５８】
また、ＴＶ受像機１、ＡＶアンプ２、及びＢＤプレーヤ３は、ＨＤＭＩ−ＣＥＣ規格に従ったＣＥＣコマンドの送受信を行うので、独自プロトコルに対応した専用機器や専用ソフトウェア等の導入コストをかける必要がない。従って、ＴＶ受像機１の製造コストを抑制することができる。
【００５９】
なお、本発明は、上記実施形態の構成に限られず、発明の趣旨を変更しない範囲で種々の変形が可能である。例えば、上記実施形態において、請求項に示す音声出力装置がＴＶ受像機である例を示したが、これに限られず、音声出力情報を更新可能であり、外部音声出力装置を接続可能なＡＶ機器であればよい。
【００６０】
また、請求項に示す外部機器がＢＤプレーヤである例を示したが、音声出力情報に応じた音声信号を供給可能なＡＶ機器であればよい。また、ＴＶ受像機１、ＡＶアンプ２、及びＢＤプレーヤ３のそれぞれがＨＤＭＩ−ＣＥＣ規格に対応する例を示したが、音声出力情報と音声信号とを伝送可能な家電制御プロトコルであればよい。
【符号の説明】
【００６１】
１  ＴＶ受像機（音声出力装置）
２  ＡＶアンプ（外部音声出力機器）
３  ＢＤプレーヤ（外部機器）
１３  デコーダ部（音声出力手段）
１５  スピーカ（音声出力手段）
１８  メモリ（音声種類情報記憶手段）
１０ｃ  ＨＤＭＩ送受信制御部（送信手段、音声種類情報受信手段）
１０ｄ  音声性能判断部（音声出力性能判断手段）
１０ｅ  ＥＤＩＤ更新部（音声種類情報更新手段）
１８ｂ  ＥＤＩＤ（第２音声種類情報）
２３ｂ  ＥＤＩＤ（第１音声種類情報）
【図１】
2012165131.tif 000003
【図２】
2012165131.tif 000004
【図３】
2012165131.tif 000005
【図４】
2012165131.tif 000006
【図５】
2012165131.tif 000007
【図６】
2012165131.tif 000008
【図７】
2012165131.tif 000009
【図８】
2012165131.tif 000010
【図９】
2012165131.tif 000011
【図１０】
2012165131.tif 000012
【図１１】
2012165131.tif 000013